(57)【要約】  本発明は、ファニチャー（１１）又は家電機器（１２）用の収納棚ベース（１）に関し、収納棚ベース（１）は、ファニチャー（１１）又は家電機器（１２）の本体（１３，１４）に不動に留め付けら得るベースプレート（２）と、ベースプレート（２）上に配置される支持プレート（２）と、支持プレート（３）に対して確実にガイドされ且つ回転移動及び並進移動を同時に可能である収納棚（４）とを備え、支持プレート（３）及び収納棚（４）の向き合う受け面（３１，４２）はそれぞれ、少なくとも実質的に閉じられた環状の転走溝（３３，３４，４３，４４，４５，４６）を有し、当該転走溝内では、転動要素（１０）がガイドされ、収納棚（４）は、開動作において初期ポジションから中間ポジションまで支持プレート（３）に対して移動可能であり、中間ポジションでは、収納棚（４）は回転方向（Ｒ１，Ｒ２）に支持プレート（３）に対して回転され且つ所定の方向（Ａ）に位置がずらされ、収納棚（４）は、閉動作において中間ポジションから初期ポジションに戻るまで移動可能であり、支持プレート（３）は、収納棚（４）の閉動作を支持する閉支持デバイスを有する。【選択図】図１
2020531200.tif 000002
【特許請求の範囲】
【請求項１】
ファニチャー（１１）又は家電機器（１２）用の収納棚ベース（１）であって、
前記ファニチャー（１１）又は前記家電機器（１２）の本体（１３，１４）に配置される支持プレート（３）と、
前記支持プレート（３）に対して確実にガイドされ且つ回転移動及び並進移動を同時に可能である収納棚（４）とを備え、
前記支持プレート（３）及び前記収納棚（４）の互いに向き合う受け面（３１，４２）はそれぞれ、少なくとも大部分が閉じられた周方向の転走溝（３３，４３，４４）を有し、前記転走溝（３３，４３，４４）内では、転動要素（１０）がガイドされ、
前記収納棚（４）は、開動作において初期ポジションから中間ポジションまで前記支持プレート（３）に対して移動可能であり、前記中間ポジションでは、前記収納棚（４）は回転方向（Ｒ１，Ｒ２）に前記支持プレート（３）に対して回転され且つ所定の方向（Ａ）に位置がずらされ、前記収納棚（４）は、閉動作において前記中間ポジションから前記初期ポジションに戻るまで移動可能である又はさらに前記回転方向（Ｒ１，Ｒ２）に前記初期ポジションに対して１８０°にわたって回転されたポジションにまで移動可能である、収納棚ベース（１）において、
前記収納棚ベース（１）は、前記収納棚（４）の前記閉動作を支持する閉支持デバイスを有することを特徴とする、収納棚ベース（１）。
【請求項２】
前記ファニチャー（１１）又は前記家電機器（１２）の前記本体（１３，１４）に不動であるように留め付けられ且つその上に前記支持プレート（３）が配置されるベースプレート（２）を備え、前記閉支持デバイスは、前記ベースプレート（２）と前記支持プレート（３）との間で機能することを特徴とする、請求項１に記載の収納棚ベース（１）。
【請求項３】
前記閉支持デバイスは、前記ベースプレート（２）と前記支持プレート（３）との間の楔形状のウェブとして、又は、リブ付き構造として設計されることを特徴とする、請求項２に記載の収納棚ベース（１）。
【請求項４】
前記収納棚（４）の前記閉動作を支持する前記閉支持デバイスは、前記ベースプレート（２９）又は支持プレート（３）上に、好ましくは、前記ベースプレート（２）に向き合う前記支持プレート（３）の下側面上の前縁の領域に、少なくとも１つの段状部（３６，３７）として設計されることを特徴とする、請求項２に記載の収納棚ベース（１）。
【請求項５】
前記転動要素（１０）の回転軸又は回転位置がある平面が、前記楔形状のウェブによって、前記リブ付き構造によって、又は、前記少なくとも１つの段状部（３６）によって、水平面に対して傾斜されることを特徴とする、請求項３又は４に記載の収納棚ベース（１）。
【請求項６】
前記少なくとも１つの段状部（３６，３７）は、前記ベースプレート（２）又は前記支持プレート（３）に一体的に形成されることを特徴とする、請求項４に記載の収納棚ベース（１）。
【請求項７】
前記段状部（３６）の高さ（ｈ）は、閉方向での前記ベースプレート（２）に対する前記支持プレート（３）の傾斜が１°と５°との間であるように寸法付けられることを特徴とする、請求項４、５又は６に記載の収納棚ベース（１）。
【請求項８】
前記段状部（３６）の高さ（ｈ）は、前記閉方向での前記ベースプレート（２）に対する前記支持プレート（３）の傾斜が１°と２°との間であるように寸法付けられることを特徴とする、請求項７に記載の収納棚ベース（１）。
【請求項９】
前記転走溝（３３，４３，４４）の幾何学的形状は、前記初期ポジションへの到達直前の前記収納棚（４）の移動が並進要素を含むように設計されることを特徴とする、請求項１〜８のいずれか一項に記載の収納棚ベース（１）。
【請求項１０】
前記転走溝（３３，４３，４４）の幾何学的形状は、前記収納棚（４）の移動方向が前記初期ポジションへの到達直前に略直線的であるように設計されることを特徴とする、請求項１〜９のいずれか一項に記載の収納棚ベース（１）。
【請求項１１】
請求項１〜１０のいずれか一項に記載の少なくとも１つの収納棚ベース（１）を有する本体（１３）を備えるファニチャー（１１）。
【請求項１２】
請求項１〜１０のいずれか一項に記載の少なくとも１つの収納棚ベース（１）を有する本体（１４）を備える、特に冷蔵庫又は冷凍庫である家電機器（１２）。
【発明の詳細な説明】
【技術分野】
【０００１】
本発明は、請求項１のプリアンブル部分に係るファニチャー又は家電機器用の収納棚ベース及びファニチャー又は家電機器に関する。
【背景技術】
【０００２】
支持プレートと、支持プレート上でガイドされる収納棚とが、ベースプレート上に配置され且つ回転移動及び並進移動を同時に行うことができるタイプの収納棚ベースがあり、当該収納棚ベースは、ファニチャー又は冷蔵庫若しくは冷凍庫等の家電機器の収納スペースにおいて、他のタイプではアクセスできない表面にアクセスすることを可能にする。
【０００３】
例えば、ターンテーブルを搭載する収納棚ベースは既知であり、当該収納棚ベースでは、ターンテーブルは収納棚ベースのベースプレートに直接的に設置される（独国特許出願公開第４２１６７６５号明細書）。
【０００４】
過去に公開された独国特許出願公開第１０２０１７１０６１７０号明細書は、支持プレートに対して確実にガイドされ且つ回転移動及び並進移動を同時に行うことができる収納棚を開示する。
【先行技術文献】
【特許文献】
【０００５】
【特許文献１】独国特許出願公開第４２１６７６５号明細書
【特許文献２】独国特許出願公開第１０２０１７１０６１７０号明細書
【発明の概要】
【０００６】
これらの先行技術の収納棚ベースの不都合な点は、例えば、ファニチャー又は家電機器の扉によって閉ざされた収納空間で収納棚がとる収納棚の初期ポジションに必ずしも至らないということが時々あることである。
【０００７】
もし、この初期ポジションに至らない場合、初期ポジションから積み降ろしを対象とする中間ポジションまで収納棚を移動させる次の試みがなされている間に、支持プレート上の収納棚の支持部に機能不良が引き起こされる可能性がある。扉がもはや適正に閉じないということも起こり得る。最悪の場合、強い力で扉を閉じよう試みることによって、収納棚が損傷し得る。
【０００８】
本発明の目的は、収納棚が規定の初期ポジションへと挿入されたときに当該初期ポジションに確実に至るようなファニチャー又は家電機器用の収納棚ベースを提供することである。
【０００９】
この目的は、請求項１の特徴を有するファニチャー又は家電機器用の収納棚ベースによって解決され、請求項１１の特徴を有するファニチャーによって解決され、請求項１２の特徴を有する家電機器によって解決される。
【００１０】
本発明に係る収納棚ベースは、ファニチャー又は家電機器の本体に配置される支持プレートを備える。
【００１１】
収納棚ベースはまた、支持プレートに対して確実にガイドされ且つ回転移動及び並進移動を同時に可能である収納棚を備え、互いに向き合う支持プレート及び収納棚の受け面は、少なくとも大部分が閉じられた周方向の溝を有し、当該溝内では、転動要素がガイドされる。
【００１２】
収納棚は、開動作において初期ポジションから中間ポジションまで支持プレートに対して移動可能であり、中間ポジションでは、収納棚は支持プレートに対して一方向に回転され且つ所定の方向に位置をずらされる。収納棚は、閉動作において中間ポジションから初期ポジションに戻るまで移動可能である。収納棚ベースは、収納棚の閉動作を支持する閉支持デバイスを有する。
【００１３】
閉支持体を組み込むことによって、規定の初期ポジションへの到達が容易になる。
【００１４】
本発明の有利な実施態様例が、従属請求項の主題である。
【００１５】
収納棚のさらなる有利な点は、収納棚が、ファニチャー又は家電機器の本体に不動であるように固定され且つその上に支持プレートが配置されるベースプレートを備え、閉支持デバイスがベースプレートと支持プレートとの間で機能することである。
【００１６】
有利な実施態様によると、閉支持デバイスは、ベースプレートと支持プレートとの間において、楔形状のウェブ又はリブ付き構造によって形成される。当該ウェブ又はリブ付き構造は、ベースプレート上及び支持プレート上のいずれかに形成されてもよい。
【００１７】
又は、上記ウェブ又はリブ付き構造は、ベースプレート及び／又は支持プレートに配置される分割された構成要素によって形成されてもよい。
【００１８】
収納棚ベースの別の有利な実施態様例によると、収納棚の閉動作を支持する閉支持デバイスは、ベースプレート上又は支持プレート上に、好ましくは、ベースプレートに向き合う支持プレートの下側面上の前縁の領域に、少なくとも１つの段状部として設計される。
【００１９】
このような段状部は、ベースプレート及び／又は支持プレートに取り付ける又は一体的に形成するのに、容易且つ安価である。
【００２０】
さらに、このような段状部は、構成において小型を維持することができ、これ故、収納棚ベースの全体の高さにごくわずかな影響しか与えない。
【００２１】
好ましくは、段状部は支持プレートに一体的に形成される。このような段状部が支持プレートに取り付けられることも考えられ得る。
【００２２】
段状部は、水平面に関して支持プレート及び収納棚の互いに向き合う受け面が共同して形成する傾斜を生み出し、その結果、転動要素の回転軸又は回転位置がある平面も、水平面に関して傾斜する。
【００２３】
有利な実施態様例によると、段状部の高さは、閉方向でのベースプレートに対する支持プレートの傾斜が１°と５°との間、好ましくは１°と２°との間であるように寸法付けられる。
【００２４】
このような傾斜は、収納棚がその初期ポジションに確実に格納されながらも同時に収納棚ベースの全体の高さがほとんど影響を受けないようにするのに十分である。低い傾斜は、収納棚上に配置された物が滑動することを防ぎもする。
【００２５】
本発明の別の有利な実施態様例によると、転走溝の幾何学的形状は、初期ポジションへの到達直前の収納棚の移動が並進要素を含むようなものであり、初期ポジションへの到達直前の収納棚の移動方向は、略直線的である場合に特に有利である。特に、このことによって、収納棚を規定の初期ポジションに移動させることが可能になる。
【００２６】
本発明に係る収納棚ベースは、好ましくは、ファニチャーにおいて使用されることができる、又は、特に冷蔵庫又は冷凍庫といった家電機器において使用されることができる。さらに、ファニチャー又は家電機器はそれぞれ、収納棚ベースを受け入れるための本体を有する。
【図面の簡単な説明】
【００２７】
【図１】図１は、本発明に係る収納棚ベースの一実施態様例の分解斜視図である。
【図２】図２は、分解して示されるベースプレート、支持プレート及びベースプレートホルダの斜視図である。
【図３】図３は、図１による収納棚ベースの断面図である。
【図４】図４は、収納棚ベースが中に組み込まれたファニチャーの斜視図である。
【図５】図５は、収納棚ベースが中に組み込まれた冷蔵庫として設計される家電機器の斜視図である。
【発明を実施するための形態】
【００２８】
以下において、本発明の好ましい実施態様例が添付の図面を用いてより詳細に説明される。
【００２９】
以下の図の説明において、頂、底、左、右、前及び後等の用語は、各図において選択される収納棚ベース、ベースプレート、支持プレート、収納棚、ベースプレートホルダ及び段状部等の例示的な表現及び位置に単に言及するに過ぎない。これらの用語は、限定するものとして理解されるべきではなく、すなわち、これらの言及は、様々な作用ポジション又は鏡面対照的な解釈等に起因して変わり得る。
【００３０】
図１において、参照符号１は、収納棚ベースを全体として示す。
【００３１】
収納棚ベース１は、ベースプレート２と支持プレート３とを有し、ベースプレート２は、ファニチャー１１又は家電機器１２の本体１３，１４に固定されることができ、支持プレート３は、ベースプレート２上に配置される。
【００３２】
当該支持プレート３上において、回転移動及び並進移動を同時に行うことができる収納棚４がある。回転移動及び並進移動を同時に確実にガイドするために、支持プレート３及び収納棚４における互いに向き合う受け面３１，４２はそれぞれ、少なくとも大部分が閉じられた周方向の転走溝３３，３４，４３，４４，４５，４６を有し、当該転走溝内において、転動要素１０（複数）がガイドされる。ここで使用される転動要素１０は、特に玉である。
【００３３】
支持プレート３は、ベースプレート２に取り外し可能に留め付けられる、又は、支持プレート３は、図１に示すように、ファニチャー１１又は家電機器１２の本体１３，１４にベースプレート２を固定するベースプレートホルダ５に取り外し可能に留め付けられる。
【００３４】
図１及び図２に示すように、収納棚４の支持を向上するために、内側転走溝３３，４３，４４と、外側転走溝３４，４５，４６とが、収納棚４に向き合う支持プレート３の受け面３１内と支持プレート３に向き合う収納棚４の受け面４２内との両方に導入される。
【００３５】
支持プレート３の内側転走溝３３は、閉じられた周方向の転走溝として設計される。外側転走溝３４は、収納棚ベース１の前側部に向かって開放している。
【００３６】
収納棚４に回転移動及び並進移動を同時にさせるために、部分的に重なる２つの内側転走溝４３，４４と、同様に部分的に重なる２つの外側転走溝４５，４６とがそれぞれ、収納棚４の受け面４２内に導入されている。全ての転走溝４３，４４，４５，４６は、閉じられた周方向の転走溝として設計される。
【００３７】
上記転動要素１０の紛失を防ぐために、複数の転動要素１０は、転動要素ケージ９に収容される。ここでは、転動要素ケージ９は、４つのアームを有する円形状リングの形状をしており、４つのアームは、円形状リングから半径方向外側に向かって延び、４つのアームの自由端のそれぞれでは、さらなる転動要素１０が収容される。
【００３８】
内側転走溝３３，４３，４４と外側転走溝３４，４５，４６との両方は、力が収納棚４に水平方向に加えられたとき、収納棚４が以下のように移動することができるように、形作られている。つまり、力が収納棚４に水平方向に加えられたとき、収納棚４は、図１に示すような支持プレート３に対する収納棚４の向きに対応する初期位置から、図４に示す中間ポジションを経由して移動することができる。図４に示す中間ポジションは、９０°回転された積み降ろしポジションにある下側の収納棚４についてのポジションであり、当該積み降ろしポジションでは、収納棚４は、９０°回転されているだけでなく、積み降ろしを容易にするために所定の距離Ａだけ位置をずらされてもいる。
【００３９】
初期ポジションに戻す移動は、閉方向に水平方向に力を与えることによって、又は、回転方向を逆転しつつ初期ポジションへ戻すように力を与えることによって、同様に単純に行われる。閉方向の場合、収納棚４は、最初の回転方向を維持しつつ初期ポジションに対して１８０°回転されたポジションにまで移動される。
【００４０】
図１及び図２に示すように、ベースプレートホルダ５は、収納棚ベース１を、ファニチャー１１又は家電機器１２の本体１３，１４に留め付けるために用いられる。この目的のために、ベースプレートホルダ５は、ベースプレート２の後縁２２の周りに係合する。
【００４１】
ここで示される実施態様例では、支持プレート３をベースプレート２上の固定ポジションで固定するために、支持プレート３はまた、接続エレメント６を介してベースプレートホルダ５に接続されもする。ベースプレートホルダ５は、本体１３，１４に支持プレート３を後付けするための補助具の可能な一形態を表す。
【００４２】
この目的のために、ベースプレートホルダ５は２つのリセス５４を有し、２つのリセス５４内にはそれぞれ、支持プレート３の後縁から延びる接続エレメント６が挿入されることができる。
【００４３】
接続エレメント６はそれぞれ、リセス５４内へ押し込まれると、形状的に嵌まる又は摩擦により係止されるかたちでベースプレートホルダ５内に保持される。
【００４４】
閉ポジションへの収納棚４の信頼性のある収納を確実にするために、支持プレート３は、ベースプレート２上で水平方向で均等に支持されず、ベースプレートホルダ５の方向に後方へ向かって僅かに傾けられる。
【００４５】
この目的のために、図１、図２及び図３に示すように、段状部３６が、ベースプレート２に向き合う支持プレート３の前縁の下側面に形成される。
【００４６】
ここで示される特定の実施態様例では、２つのこのような段状部３６，３７が一体的に形成され、内側の段状部３６は、支持プレート３に向き合うベースプレート２の上側部２１上に載り、このとき、ベースプレート２の前縁２３は、外側の段状部３７の鉛直方向の内側表面上に載る。なお、外側の段状部３７の上記内側表面は、ベースプレート２を前側で覆う。
【００４７】
１つの段状部のみを設け、当該段状部を用いて、支持プレート３の前縁がベースプレート２上に載るようにすることも考えられ得る。
【００４８】
支持プレート３の下側面３２に取り付けられる分割された構成要素として、又は、ベースプレート２の上側部２２に取り付けられる分割された構成要素として、段状部を設計することも考えられ得る。
【００４９】
支持プレート３の前縁に一体的に形成される段状部の代わりとして、ベースプレート２に向き合う支持プレート３の下側面は、支持プレート３の上側部に対して表面全体にわたって斜めに傾斜して延びてもよい。上記下側面はリブ付きのかたちで配置されてもよい。
【００５０】
楔形状のウェブが、ベースプレート２と支持プレート３との間に配置されてもよい。
【００５１】
段状部３６の高さｈは、閉方向でのベースプレート２に対する支持プレート３の傾きが１°と５°との間であるように、寸法付けられる。
【００５２】
閉方向でのベースプレート２に対する支持プレート３の傾きは、１°と２°との間であることが特に好ましい。
【００５３】
ベースプレートホルダ５の方向で上記段状部によって生成される支持プレート３の勾配があることによって、中間ポジションから初期ポジションに収納棚４を移動させる又は収納棚４を１８０°回転させて初期ポジションに移動させるために、ユーザが収納棚４を動作させた後、収納棚４は信頼性のある格納動作を十分に行うことができる。
【００５４】
内側転走溝３３，４３，４４の幾何学的形状と、存在する場合の外側転走溝３４，４５，４６の幾何学的形状とは、好ましくは、初期ポジションに到達する直前の収納棚４の移動方向が並進要素を含む又は凡そ直線的でさえもあるように、設計され、それにより、収納棚４に存在するポテンシャルエネルギーが、規定の初期ポジションへの到達前に運動量に変換される。その結果、ユーザによって収納棚４がさらに押圧されなくても、収納棚４はその初期ポジションに確実に到達する。
【００５５】
図１及び図２に示すように、ベースプレートホルダ５は、スロット５２の上方に第２リセス５５を有し、第２リセス５５は、傾動防護エレメント７を収容する役割を果たす。
【００５６】
このような傾動防護エレメント７は、支持プレート３上に配置もされ、収納棚４の上縁４８を部分的に覆うように形作られもする。又は、傾動防護エレメントは、収納棚４内の溝に係合するように設計されてもよい。
【００５７】
傾動防護エレメント７は、収納棚４の棚面４１に平行な傾動軸を中心として収納棚４が傾動することを防ぐ役割を果たす。このような傾動は、負荷が収納棚４の棚面４１に不均等に分布する場合に特に起こり得る。
【００５８】
傾動防護エレメント７は、好ましくはＣ形の引掛けフックとして設計され、傾動防護エレメント７の１つのセクション７３は、支持プレート３の後縁から突出し上方へ曲げられている。
【００５９】
平坦な中央セクション７２は、上記セクション７３に隣接し、中央セクション７２は、収納棚４の棚面４１を囲む壁部の鉛直方向の高さに適応する高さで延びる。中央セクション７２に隣接する傾動防護エレメント７の屈曲端部７１は、上記壁部の上縁４８を越えて突出し、傾動が起こった場合に収納棚４が傾動することを防ぐ。
【００６０】
支持プレート３及び収納棚４は、軸方向の固定のために固定デバイス８を用いて互いに固定される。
【００６１】
図１に示すように、固定デバイス８はネジ８１を有し、ネジ８１は、支持プレート３のスロット３５を通って下方から突出し、これにより、収納棚４が支持プレート３に対してスライド移動することを可能にする。
【００６２】
低摩擦のスライド移動を可能にするために、ワッシャ８２及び摺動リング８３がネジ８１に配置され、摺動リング８３は、スロット３５の領域におけるベースプレート２に面した支持プレート３の下側面と接触している。ベースプレート２に対して支持プレート３が傾いていることによって、支持プレート３を越えて下方に突出するネジ８１の頭部が、ベースプレート２上にこすれないようにすることが、確実にもなる。
【００６３】
収納棚４との軸方向の固定のために、搭載ブラケット４７が収納棚４の棚面４１に挿入され、搭載ブラケット４７は、キャップ８４によってカバーされる。
【００６４】
当該キャップ８４のネジ８１に面する下側面には、雌ネジを有するネジ穴が設けられ、ネジ８１は、当該ネジ穴内に捩じ込まれることでキャップ８４をその搭載ポジションで軸方向に保持することができる。
【００６５】
ベースプレート２は、ガラスプレートとして設計されることができる。ベースプレート２を、木製プレート又はプラスチック若しくは金属製のプレートとして設計することも考えられ得る。支持プレート３及び収納棚４は、好ましくは、プラスチック又はガラスで生成される。
【００６６】
例えば、特に冷蔵庫又は冷凍庫のような冷蔵装置として設計される家電機器１２の場合、例えばガラスプレートの形態である既に存在するベースプレート２は、収納棚ベース１を生成するために、支持プレート及び収納棚を安定させ且つ組み込むのに使用可能であるということが、特に有利である。なお、上記の収納棚ベース１は、並進移動及び回転移動を同時に行うことができ、それにより特に積み降ろしが容易であるものである。
【００６７】
図４は、本発明に係るファニチャー１１の収納棚ベース（複数）を示し、ファニチャー１１は、収納棚ベース１（複数）が配置される本体１３を有する。
【００６８】
図５は、本ケースでは冷蔵器具である本発明に係る家電機器１２の収納棚ベース（複数）を示し、家電機器１２は、収納棚ベース１（複数）が配置される本体１４を有する。
【符号の説明】
【００６９】
１  収納棚ベース
２  ベースプレート
２１  上側部
２２  縁
２３  縁
３  支持プレート
３１  受け面
３２  下側面
３３  転走溝
３４  転走溝
３５  スロット
３６  段状部
３７  段状部
４  収納棚
４１  棚面
４２  受け面
４３  転走溝
４４  転走溝
４５  転走溝
４６  転走溝
４７  搭載ブラケット
４８  上縁
５  ベースプレートホルダ
５２  スロット
５４  第１リセス
５５  第２リセス
６  接続エレメント
７  傾動防護エレメント
８  固定デバイス
８１  ネジ
８２  ワッシャ
８３  摺動リング
８４  キャップ
９  転動要素ケージ
１０  転動要素
１１  ファニチャー
１２  家電機器
１３  本体
１４  本体
Ａ  方向
Ｒ１  回転方向
Ｒ２  回転方向
ｈ  高さ
【図１】
2020531200.tif 000003
【図２】
2020531200.tif 000004
【図３】
2020531200.tif 000005
【図４】
2020531200.tif 000006
【図５】
2020531200.tif 000007
【国際調査報告】
2020531200.tif 000008
2020531200.tif 000009
2020531200.tif 000010
2020531200.tif 000011